(57)【要約】【課題】特に操作レバーを操作することなく給紙装置に設けられた幅寄せガイドやエンドフェンスに対してロックを解除し得るようにする。【解決手段】貯留している用紙束Ｐ１から画像形成用として筐体１１内に向けて用紙Ｐを給紙し得るように構成された、筐体１１に対して挿脱可能に装着される用紙カセット３０を備えたプリンタ１０において、用紙カセット３０は、用紙Ｐのサイズに応じて移動させることにより用紙束Ｐ１の縁部に当止して当該用紙束Ｐ１を位置決めする位置決め部材４０と、この位置決め部材４０に対し位置決め状態のロックおよびロック解除を行うロック機構５０が設けられ、ロック機構５０は、用紙カセット３０が筐体１１から引き出され所定のテーブルＴ上に載置された状態でロックが解除される一方、テーブルＴから持ち上げられた状態でロックが行われるように構成されている。【選択図】図６
2007191269.tif 000002
【特許請求の範囲】
【請求項１】
貯留している用紙束から画像形成用として装置本体内に向けて用紙を給紙し得るように構成され、かつ、所定の装置本体に対して挿脱可能に装着される給紙装置を備えた画像形成装置において、
前記給紙装置は、用紙のサイズに応じて移動させることにより用紙束の縁部に当止して当該用紙束を位置決めする位置決め部材と、この位置決め部材に対し位置決め状態のロックを行うロック機構とを有し、
前記ロック機構は、前記給紙装置が装置本体から引き出され任意の平坦面上に載置された状態で前記ロックが解除される一方、前記平坦面から持ち上げられた状態で前記ロックが行われるように構成されていることを特徴とする画像形成装置。
【請求項２】
前記位置決め部材は、移動方向に向けて所定ピッチで並設された複数の凹凸を有する凹凸部を備え、前記ロック機構は、前記凹凸部の凹凸に噛み合うことによって前記位置決め部材の移動をロックするロック歯を備えたロック板と、前記給紙装置が前記平坦面に載置された状態で当該平坦面から受ける押圧力により前記ロック板をロック歯が前記凹凸部から離間する方向に向けて移動させる操作突起とを有していることを特徴とする請求項１記載の画像形成装置。
【請求項３】
前記ロック板および前記操作突起のいずれか一方または双方は、互いの当接位置に傾斜面を有し、前記傾斜面は、前記操作突起が押圧されることによりロック板を誘導して当該ロック板がロックを解除するように傾斜設定されていることを特徴とする請求項２記載の画像形成装置。
【請求項４】
前記位置決め部材は、互いに連動して両サイドから用紙束を挟持するように形成された用紙幅方向一対の幅寄せガイドであることを特徴とする請求項１乃至３のいずれかに記載の画像形成装置。
【発明の詳細な説明】
【技術分野】
【０００１】
本発明は、貯留している用紙束から画像形成用として装置本体内に向けて用紙を給紙し得るように構成された、装置本体に対して挿脱可能な給紙装置を有する画像形成装置に関するものである。
【背景技術】
【０００２】
通常、画像形成装置は、スキャナーで読み取ったり、あるいはコンピュータ等の外部の機器から伝送されたりした画像情報に基づき画像を形成して用紙に対し印刷出力を行うようになされている。かかる画像形成装置は、その装置本体に対して挿脱可能に装着された用紙カセット（給紙装置）を有し、この用紙カセットに複数枚の用紙（用紙束）が貯留されている。そして、この用紙カセットから用紙が１枚ずつ繰り出されて画像形成処理に供されるようになっている。
【０００３】
かかる用紙カセットは、用紙のサイズに応じて用紙束の幅方向の位置決めを行う一対の幅寄せガイドと、用紙束の後端の位置決めを行うエンドフェンスとを有している。そして、前記一対の幅寄せガイド間の内寸法を調節するとともに、エンドフェンスの前後位置を調節することによって用紙カセットに装填される用紙束は、用紙カセット内で位置決めされた状態になる。
【０００４】
かかる用紙カセットを備えた画像形成装置については、例えば、特許文献１や特許文献２に記載されている。
【特許文献１】特開平７−２０６１７１号公報
【特許文献２】特開２０００−１５３９２５号公報
【発明の開示】
【発明が解決しようとする課題】
【０００５】
ところで、前記のような用紙カセットには、幅寄せガイドやエンドフェンスが動かないようにロックするロック手段が設けられている。そして、幅寄せガイドやエンドフェンスを移動させるときはロック手段に設けられた操作レバーが操作されてロックが解除され、操作レバーの操作状態を維持しつつ幅寄せガイドやエンドフェンスを移動させることが行われる。
【０００６】
しかしながら通常、操作レバーは、幅寄せガイドやエンドフェンスの移動方向と直交する方向に操作されるのが一般的であるため、操作レバーの操作方向と直交する方向に向けて幅寄せガイドやエンドフェンスを移動させる必要があった。具体的には、例えば操作レバーを上方に引き上げることによってロックを解除し、引き続き操作レバーの引き上げ状態を維持しながら幅寄せガイドやエンドフェンスを移動させるという困難な操作を行わなければならず、操作性が劣るという問題点が存在した。
【０００７】
本発明は、かかる従来の問題点を解消するためになされたものであり、特に操作レバーを操作することなく給紙装置に設けられた幅寄せガイドやエンドフェンスに対してロックを解除し得るようにし、これによってオペレータの負担を軽減させることができるようにした画像形成装置を提供することを目的としている。
【課題を解決するための手段】
【０００８】
請求項１記載の発明は、貯留している用紙束から画像形成用として装置本体内に向けて用紙を給紙し得るように構成され、かつ、所定の装置本体に対して挿脱可能に装着される給紙装置を備えた画像形成装置において、前記給紙装置は、用紙のサイズに応じて移動させることにより用紙束の縁部に当止して当該用紙束を位置決めする位置決め部材と、この位置決め部材に対し位置決め状態のロックを行うロック機構とを有し、前記ロック機構は、前記給紙装置が装置本体から引き出され任意の平坦面上に載置された状態で前記ロックが解除される一方、前記平坦面から持ち上げられた状態で前記ロックが行われるように構成されていることを特徴とするものである。
【０００９】
かかる構成によれば、予め用紙サイズに応じて位置設定され、かつ、ロック機構によって移動しないようにロックされた位置決め部材に沿わせて用紙束を給紙装置に装填することにより当該用紙束は、位置決め状態で給紙装置に貯留された状態になる。
【００１０】
そして、異なる用紙サイズの用紙束を給紙装置に装填するに際しては、当該給紙装置を装置本体から引き出し、任意の平坦面の上に載置することにより、ロック機構によるロックが解除されるため、位置決め部材は、この状態で移動され新たな用紙サイズに対応させられる。新たな用紙サイズの用紙束が貯留可能になった給紙装置は、装置本体に装着されて使用に供される。
【００１１】
因みに、この発明では、給紙装置が装置本体に装着された状態も当該給紙装置が平坦面から持ち上げられた状態の範疇に入る。従って、給紙装置を装置本体に装着することにより任意の平坦面から持ち上げられた状態が継続され、位置決め部材は、ロック機構により位置決め状態がロックされたままとなる。
【００１２】
このようにロック機構を、給紙装置が装置本体から引き出され任意の平坦面上に載置された状態で位置決め部材のロックが解除されるように構成する一方、平坦面から持ち上げられた状態でロックが行われるように構成することで、オペレータは、従来のようにロックを解除させるための操作レバーの操作と位置決め部材を移動させる操作とを同時に行う必要がなくなり、装置本体から引き出された給紙装置を任意の平坦面上に載置するだけで位置決め部材を移動させることが可能になるため、用紙のサイズに応じた位置決め部材の位置変更作業が極めて容易に行われ、作業性が大幅に向上する。
【００１３】
請求項２記載の発明は、請求項１記載の発明において、前記位置決め部材は、移動方向に向けて所定ピッチで並設された複数の凹凸を有する凹凸部を備え、前記ロック機構は、前記凹凸部の凹凸に噛み合うことによって前記位置決め部材の移動をロックするロック歯を備えたロック板と、前記給紙装置が前記平坦面に載置された状態で当該平坦面から受ける押圧力により前記ロック板をロック歯が前記凹凸部から離間する方向に向けて移動させる操作突起とを有していることを特徴とするものである。
【００１４】
かかる構成によれば、給紙装置が装置本体内に装着された状態では、ロック板のロック歯が位置決め部材に設けられた凹凸部の凹凸に噛合し、これによって位置決め部材はその移動がロックされた状態になっている。
【００１５】
そして、位置決め部材を移動させるに際しては、給紙装置を装置本体から引き出して任意の平坦面上に載置すればよい。こうすることによって操作突起が平坦面から押圧力を受け、これによるロック板の動作によって当該ロック板に設けられたロック歯が位置決め部材の凹凸部の凹凸に対する噛合から外れるため、位置決め部材は移動可能になる。
【００１６】
このようにロック機構を、位置決め部材に設けた移動方向に向け所定ピッチの複数の凹凸を有する凹凸部と、凹凸部の凹凸に噛み合うことによって位置決め部材の移動をロックするロック歯を備えたロック板と、給紙装置が前記平坦面に載置された状態で平坦面から受ける押圧力によりロック板をロック歯が凹凸部から離間する方向に向けて移動させる操作突起とを備えて構成することにより、ロック機構の構造を簡単なものとした上で、給紙装置を任意の平坦面上に載置したときのみ位置決め部材を移動可能にすることができ、装置コストの高騰が抑えられる。
【００１７】
請求項３記載の発明は、請求項２記載の発明において、前記ロック板および前記操作突起のいずれか一方または双方は、互いの当接位置に傾斜面を有し、前記傾斜面は、前記操作突起が押圧されることによりロック板を誘導して当該ロック板がロックを解除するように傾斜設定されていることを特徴とするものである。
【００１８】
かかる構成によれば、給紙装置が任意の平坦面上に載置されて操作突起が押圧されることにより、ロック板および操作突起のいずれか一方または双方の互いの当接位置に設けられた傾斜面がロック板を誘導しロックが解除する方向に向けて移動させるため、位置決め部材のロック状態が解除される。
【００１９】
請求項４記載の発明は、請求項１乃至３のいずれかに記載の発明において、前記位置決め部材は、互いに連動して両サイドから用紙束を挟持するように形成された用紙幅方向一対の幅寄せガイドであることを特徴とするものである。
【００２０】
かかる構成によれば、給紙装置に通常設けられている後端位置決めガイドより操作が困難な幅寄せガイドの操作性を向上させた上で、幅寄せガイドによって給紙装置に貯留される用紙束を対象とした用紙幅方向の整合が行われる。
【発明の効果】
【００２１】
請求項１記載の発明によれば、装置本体から引き出された給紙装置を任意の平坦面上に載置することにより位置決め部材のロックが解除される一方、平坦面から持ち上げられることによりロックが行われるため、オペレータは、従来のようにロックを解除させるための操作レバーの操作と位置決め部材を移動させる操作とを同時に行う必要がなくなり、装置本体から引き出された給紙装置を任意の平坦面上に載置するだけで位置決め部材を移動させることが可能になる。従って、用紙のサイズに応じた位置決め部材の位置変更作業を極めて容易に行うことができ、当該作業の作業性を大幅に向上させることができる。
【００２２】
請求項２記載の発明によれば、ロック機構を、位置決め部材に設けられた複数の凹凸を有する凹凸部と、この凹凸部の凹凸に噛み合うことによって位置決め部材の移動をロックするロック歯を備えたロック板と、給紙装置が任意の平坦面に載置された状態で平坦面から受ける押圧力によりロック板をロック歯が凹凸部から離間する方向に向けて移動させる操作突起とを備えて構成することにより、ロック機構の構造を簡単なものとした上で、給紙装置を任意の平坦面上に載置したときのみ位置決め部材を移動可能にすることができ、かかるロック機構を備えた給紙装置の装置コストの高騰を抑えることができる。
【００２３】
請求項３記載の発明によれば、給紙装置が任意の平坦面上に載置されて操作突起が押圧されることにより、ロック板および操作突起のいずれか一方または双方の互いの当接位置に設けられた傾斜面がロック板を誘導し、これによるロック板のロック解除の方向へ向けた移動によって位置決め部材のロック状態を解除することができる。
【００２４】
請求項４記載の発明によれば、位置決め部材として互いに連動して両サイドから用紙束を挟持するように形成された用紙幅方向一対の幅寄せガイドが採用されているため、給紙装置に通常設けられている後端位置決めガイドより操作が困難な幅寄せガイドの操作性を向上させた上で、これら一対の幅寄せガイドによって給紙装置に貯留される用紙束を対象として用紙幅方向の整合を行うことができる。
【発明を実施するための最良の形態】
【００２５】
図１は、本発明に係るプリンタの一実施形態を示す斜視図であり、（イ）は、用紙カセットがプリンタ本体に装着された状態、（ロ）は、用紙カセットがその後端部をプリンタ本体内に残して引き出された状態、（ハ）は、用紙カセットがプリンタ本体から完全に引き出されてテーブル上に置かれた状態をそれぞれ示している。なお、図１において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２６】
図１に示すように、プリンタ（画像形成装置）１０は、例えばコンピュータ等の外部機器から入力された画像情報に基づき画像形成処理を行って用紙Ｐに転写処理を施すものであり、側面視で上に凸の扇形状に形状設定された箱形を呈する筐体（装置本体）１１内に画像形成用の各種の機器が装着されることによって構成されている。
【００２７】
前記筐体１１は、扇形状を呈した左右幅方向一対の側板１１１と、これら一対の側板１１１の上縁部間に架設された側面視で上に凸の円弧状を呈する天板１１２と、この天板１１２の前縁部から上下方向の略中間位置まで垂下された前面板１１３と、天板１１２の後縁部から上下方向の略中間位置まで垂下された後面板１１４（図２）と、上下方向の略中間位置で前記一対の側板１１１間に架設された仕切板１１５（図２）とを備えている。
【００２８】
かかる筐体１１には、図１の（ハ）に示すように、底板が存在せず、左右一対の側板１１１および後面板１１４の下縁部が任意の平坦面の上に直接載置されるようになっている。また、筐体１１内における仕切板１１５の上部に後述する画像形成用の各種の機器が装着されてなる画像形成部２０（図２）が設けられているとともに、仕切板１１５の下部には後に詳述する用紙カセット（給紙装置）３０が挿脱可能に装着されている。
【００２９】
前記前面板１１３の下縁部の位置には、給紙口１１６が設けられているとともに、前記給紙口１１６の直下位置には、用紙カセット３０と一体の手差しトレイ３５が設けられている。そして、用紙Ｐを手差しで給紙する場合、当該用紙Ｐは、前記手差しトレイ３５を用紙カセット３０から前方へ引き出した状態で前記給紙口１１６を介して筐体１１内に導入されるようになっている。
【００３０】
一方、前記天板１１２には、その中央部が後方に向かって先下がり状態で凹設されることによって形成した排紙トレイ１１７が設けられ、筐体１１内で所定の画像形成処理が施された用紙Ｐは、排紙トレイ１１７の後方壁に開口された排紙口１１７ａを介して当該排紙トレイ１１７上に排出されるようになっている。
【００３１】
また、各側板１１１の後方上部には、上下方向に延びる複数本の格子が前後方向に向かって並設されてなるルーバー１１８がそれぞれ設けられ、一方のルーバー１１８から取り入れた外気を他方のルーバー１１８から排出することによって筐体１１に冷却処理が施されるようになっている。
【００３２】
前記用紙カセット３０は、普段、プリンタ１０が画像形成処理を行う際に筐体１１に収納された図１の（イ）に示す収納状態Ｓ１と、用紙Ｐの補給のために筐体１１から略半分強だけ引き出された図１の（ロ）に示す半引き出し状態Ｓ２との間で状態変化するようになされている。これに対し、用紙カセット３０に貯留される用紙Ｐのサイズを変更するときには、用紙カセット３０は、図１の（ハ）に示すように、筐体１１から完全に引き出された完全引き出し状態Ｓ３とされた上で手近にあるテーブル（任意の平坦面）Ｔ上に載置される。
【００３３】
図２は、プリンタ１０の内部構造の概要を説明するための側面断面視の説明図であり、（イ）は、用紙カセット３０が筐体１１に収納された状態（収納状態Ｓ１）、（ロ）は、用紙カセット３０が筐体１１から略半分引き出された状態（半引き出し状態Ｓ２）をそれぞれ示している。なお、図２におけるＹによる方向表示（前後方向）は、図１の場合と同様（−Ｙ：前方、＋Ｙ：後方）である。
【００３４】
図２に示すように、プリンタ１０は、用紙Ｐに対して画像の転写処理を施す画像形成部２０と、用紙Ｐ上に転写された画像に対して定着処理を施す定着部２７と、用紙束Ｐ１を貯留するとともに、貯留された用紙束Ｐ１から１枚ずつの用紙Ｐを画像形成部２０へ向けて繰り出させたり、用紙Ｐを手差しで給紙したりし得るように構成された用紙カセット３０とを備えた基本構成を有している。
【００３５】
前記画像形成部２０は、コンピュータ等から伝送された画像情報に基づき用紙Ｐに転写処理を施すものであり、左右方向（図２の紙面と直交する方向）に延びるドラム心回りに回転可能に設けられた感光体ドラム２１の周面に沿うように、当該感光体ドラム２１の直上位置から時計方向に向けて帯電器２２、露光装置２３、現像装置２４、転写ローラ２５およびクリーニング装置２６が配設されることによって形成されている。
【００３６】
前記感光体ドラム２１は、周面に静電潜像およびこの静電潜像に沿ったトナー像を形成させるためのものであり、周面に強靱で、かつ、極めて滑らかなアモルファスシリコン層が積層され、これによってこれらの像を形成させるのに適したものになっている。
【００３７】
前記帯電器２２は、ドラム心回りに時計方向に回転している感光体ドラム２１の周面に一様な電荷を形成させるものであり、本実施形態においては、ワイヤからのコロナ放電により感光体ドラム２１の周面に電荷を付与するコロナ放電方式のものが採用されているが、これに代えて周面が感光体ドラム２１の周面と当接しながら従動回転しつつ当該感光体ドラム２１の周面へ電荷を付与する帯電ローラ方式を採用してもよい。
【００３８】
前記露光装置２３は、コンピュータ等の外部の機器から伝送されてきた画像データに基づき強弱の付与されたレーザー光を回転している感光体ドラム２１の周面に照射し、これによる感光体ドラム２１周面のレーザー光が照査された部分の電荷の消去によって当該感光体ドラム２１の周面に静電潜像を形成させるものである。
【００３９】
前記現像装置２４は、感光体ドラム２１の周面に現像剤の内のトナーを供給することによって周面の静電潜像が形成された部分にトナーを付着させ、これによって感光体ドラム２１の周面にトナー像を形成させるものである。なお、本発明においては、現像剤としてトナーとキャリアとからなる、いわゆる２成分系のものが採用されている。トナーは、着色剤、電荷制御剤およびワックス等の添加剤をバインダー樹脂中に分散させた粒径が６〜１２μｍの微粉体である。キャリアは、磁鉄鉱（Ｆｅ３Ｏ４）等の粒径が６０〜２００μｍの磁性粒子であり、トナーを帯電させるために使用される。そして、トナーは、トナーカートリッジ２４１から現像装置２４に適宜補給される消耗品であるのに対し、キャリアは、予め所定量が現像装置２４内に装填されており、消耗することなく循環使用されるのが一般的であるが、本発明においては、トナーカートリッジ２４１にトナーおよびキャリア（すなわち現像剤）が装填されており、トナーとキャリアの双方が同時に現像装置２４に補給されるようにしている。
【００４０】
前記転写ローラ２５は、感光体ドラム２１の直下位置に送り込まれた用紙Ｐに対して当該感光体ドラム２１の周面に形成されているプラスに帯電したトナー像を用紙Ｐに転写させるものであり、トナー像の電荷と逆極性であるマイナスの電荷を用紙Ｐに付与するようになっている。
【００４１】
従って、感光体ドラム２１の直下位置を越えた用紙Ｐは、転写ローラ２５と感光体ドラム２１とによって押圧挟持されつつ、プラスに帯電した感光体ドラム２１周面のトナー像がマイナスに帯電した用紙Ｐの表面に向けて引き剥がされ、これによって用紙Ｐに対し転写処理が施されることになる。
【００４２】
前記クリーニング装置２６は、用紙Ｐへの転写処理後の感光体ドラム２１の周面に残留しているトナーを取り除いて清浄化するためのものである。このクリーニング装置２６によって清浄化された感光体ドラム２１の周面は、次の画像形成処理のために再び帯電器２２へ向かうことになる。
【００４３】
前記定着部２７は、画像形成部２０において転写処理の施された用紙Ｐのトナー像に加熱による定着処理を施すものであり、内部にハロゲンランプ等の通電発熱体が装着されたヒートローラ２７１と、このヒートローラ２７１の下部で周面が対向配置された加圧ローラ２７２とを備えて構成されている。そして、転写処理後の用紙Ｐは、ローラ心回りに時計方向に向けて駆動回転しているヒートローラ２７１と、ローラ心回りに反時計方向に向けて従動回転している加圧ローラ２７２との間のニップ部を通過することによって、ヒートローラ２７１からの熱を得て定着処理が施されるようになっている。定着処理の施された用紙Ｐは、排紙搬送路２７３を通って排紙トレイ１１７へ排出されることになる。
【００４４】
前記筐体１１には、用紙カセット３０の上流側（図２の右方）に対応した位置に用紙束Ｐ１から１枚ずつの用紙Ｐを繰り出させる大径の給紙ローラ１１９が設けられているとともに、この給紙ローラの直上位置に小径の搬送コロ１１９ａが設けられている。一方、用紙カセット３０には、搬送コロ１１９ａと対向した用紙カセット３０側の給紙コロ３０１が設けられ、これら一対の搬送コロ１１９ａ，３０１によって給紙ローラ対が形成されている。そして、給紙ローラ１１９の駆動によって用紙カセット３０から繰り出された用紙Ｐは、搬送コロ１１９ａ，３０１を介し、給紙搬送路１１９ｂおよびこの下流端に設けられたレジストローラ対１１９ｃを介して画像形成部２０に給紙されるようになっている。
【００４５】
以下、図３〜図５に基づき用紙カセット３０をさらに詳細に説明する。図３は、用紙カセット３０の一実施形態を示す斜め上面から見た斜視図であり、（イ）は、リフト板３６が取り付けられた状態、（ロ）は、リフト板３６が取り外された状態をそれぞれ示している。また、図４は、用紙カセット３０を裏面側から見た斜視図である。また、図５は、幅寄せガイド４２とロック機構５０との相対的な位置関係を説明するための分解斜視図である。
【００４６】
さらに、図６は、図５に示す用紙カセット３０が組み立てられた状態を示す斜視図であり、（イ）は、組み立て斜視図、（ロ）は、（イ）の部分拡大斜視図である。因みに、図６の（ロ）における添え字の「ａ」は、幅寄せガイド４２のラック４２４がロック機構５０によってロックされた状態、同添え字の「ｂ」は、幅寄せガイド４２のラック４２４のロック機構５０によるロックが解除された状態であることをそれぞれ示すものである。
【００４７】
なお、図３〜図５におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００４８】
まず、図３に示すように、用紙カセット３０は、浅い方形の皿状のカセット本体３１と、このカセット本体３１に内装された、用紙束Ｐ１の位置を決める位置決め部材４０と、この位置決め部材４０に対し位置決め状態のロックおよびロック解除を行うロック機構５０（図３の（ロ）、図４および図５）とを備えて構成されている。
【００４９】
前記カセット本体３１は、矩形状を呈する底板３２と、この底板３２の左右の縁部に立設された前後方向に延びる一対の側板３３と、底板３２の前縁部から立設された前記側板３３より上下寸法が長尺の化粧板３４とからなっている。化粧板３４の後面側には用紙Ｐを手差しで画像形成部２０へ給紙するための手差しトレイ３５が設けられ、用紙Ｐを手差しで給紙するに際しては、この手差しトレイ３５が化粧板３４から前方に向けて引き出されるようになっている。そして、底板３２上における側板３３および手差しトレイ３５に囲まれた空間によって用紙束Ｐ１を貯留する貯留空間Ｖが形成されている。
【００５０】
かかるカセット本体３１は、筐体１１の各側板３３の下部対向面にそれぞれ設けられた前後方向に延びる上下一対の案内レール３３１（図２の（ロ））に案内されつつ筐体１１に対して挿脱可能になっている。そして、底板３２がこれらの案内レール３３１に支持されることにより、プリンタ１０が載置された台座Ｔ１の上面と底板３２の下面との間には、所定寸法の隙間が形成され、これによって用紙カセット３０が筐体１１に装着された状態において、後述するロック解除部材５２が、図２の（イ）に示すように、底板３２から下方に突出した下方位置Ｓ４に位置設定されるようになっている。
【００５１】
前記貯留空間Ｖには、当該貯留空間Ｖ内に装填された用紙束Ｐ１の上流端（前端）をリフトする図３の（イ）に示すようなリフト板３６が設けられている。このリフト板３６は、底板３２の前後方向の略中央部から手差しトレイ３５に到るまでの前後長を有している。かかるリフト板３６の後端の左右の側縁には、互いに反対方向に向けて突設された支点軸３６１がそれぞれ設けられ、これらの支点軸３６１が対応した各側板３３に軸心回りに回動可能に支持されることによりリフト板３６が支点軸３６１回りに正逆回動し得るようになっている。リフト板３６の前後方向の中央部には、左右の縁部から切り込まれて形成した左右方向一対の切り込み凹部３６２が設けられている。これらの切り込み凹部３６２は、後述する一対の幅寄せガイド４２の可動範囲を確保するためのものである。
【００５２】
かかるリフト板３６の前部と対向した底板３２（後述する第２底板３２′）上には、図３の（ロ）に示すように、左右方向一対のコイルスプリング３２１が設けられ、リフト板３６の前部は、これら一対のコイルスプリング３２１によって上方に向けて付勢されるようになっている。従って、リフト板３６上に用紙束Ｐ１を載置した状態で用紙カセット３０を筐体１１内に挿入することにより、用紙束Ｐ１の前端上面が前記給紙ローラ１１９（図２の（イ））の周面と干渉し、これによってリフト板３６の前端が用紙束Ｐ１を介しコイルスプリング３２１の付勢力に抗して下降する。
【００５３】
そして、用紙カセット３０が筐体１１内に押し込まれてしまうと、用紙束Ｐ１の最上位の用紙Ｐは、コイルスプリング３２１の付勢力により給紙ローラ１１９の周面に押圧当接した状態になるため、給紙ローラ１１９が軸心回りに図２の（イ）において反時計方向に向けて回転することにより、用紙束Ｐ１の最上位の用紙Ｐが搬送コロ１１９ａ，３０１に向けて繰り出されることになる。
【００５４】
前記位置決め部材４０は、貯留空間Ｖ内においてリフト板３６上の用紙束Ｐ１の下流端（後端）を位置決めする後端位置決めガイド４１と、同用紙束Ｐ１を幅方向（左右方向）で中央部に寄せて位置決めする一対の幅寄せガイド４２とを備えて構成されている。前記後端位置決めガイド４１は、底板３２の後部に敷設された前後方向に延びる幅方向一対のガイドレール３２２に案内されつつ前後動するようになされているとともに、所定のロック手段を有し、前後位置が位置決めされた状態でこのロック手段を所定の方向に向けて操作することにより、当該後端位置決めガイド４１が動かないようにロックされるようになされている。このロック状態を解除するためには、ロック手段を反対方向に向けて操作すればよい。
【００５５】
以下、図５および図６を基に必要に応じて図１〜図４を参照しながら幅寄せガイド４２およびロック機構５０について説明する。
【００５６】
まず、図５に示すように、幅寄せガイド４２は、前記底板３２の略前半分の位置に積層された第２底板３２′に装着されている。第２底板３２′には、幅寄せガイド４２の移動を案内する左右方向に長尺のガイド長孔３２３が穿設されている。このガイド長孔３２３は、左右方向で互い違いに形成された前方ガイド長孔３２４と、後方ガイド長孔３２５とからなっている。前記前方ガイド長孔３２４は、第２底板３２′の左縁部の近傍から右方に向けて左右方向の中央部を若干過ぎる位置まで穿設されているとともに、前記後方ガイド長孔３２５は、第２底板３２′の右縁部の近傍から左方に向けて左右方向の中央部を若干過ぎる位置まで穿設され、これら前後のガイド長孔３２４，３２５の互いに重複した部分は互いに連通状態となっている。
【００５７】
前記幅寄せガイド４２は、前方ガイド長孔３２４に案内されて移動する左方幅寄せガイド４２１と、後方ガイド長孔３２５に案内されて移動する右方幅寄せガイド４２２とが採用されている。各幅寄せガイド４２１，４２２は、それぞれ前後方向に長尺の幅寄せガイド板４２３と、各幅寄せガイド板４２３の下端縁面から互いに対向する方向に向けて延設された左右方向に長尺のラック４２４とを備えている。
【００５８】
前記左方幅寄せガイド４２１のラック４２４は、その左端部が左方幅寄せガイド４２１の下縁部に固定された状態で前方ガイド長孔３２４に嵌め込まれている一方、前記右方幅寄せガイド４２２のラック４２４は、その右端部が右方幅寄せガイド４２２の下縁部に固定された状態で後方ガイド長孔３２５に嵌め込まれ、いずれもガイド長孔３２３に案内されつつ左右方向に移動可能になっている。そして、各ラック４２４の互いに対向した縁面にはそれぞれラック歯４２４ａが設けられている。
【００５９】
一方、ガイド長孔３２３の左右方向の中央位置には、第２底板３２′の裏面側で当該ガイド長孔３２３を前後方向に向けて横断するように架設された架設板３２６が設けられている。この架設板３２６には、ピニオン４２５の中心孔４２５ａに貫通された中心軸４２６の下端部を螺着する螺子孔３２６ａが螺設され、前記中心孔４２５ａに中心軸４２６を差し通した状態でその先端を前記中心孔４２５ａに螺着することにより、ピニオン４２５が中心軸４２６回りに回転自在にが軸支されるようになっている。かかるピニオン４２５は、径寸法が互いに対向した一対のラック４２４と噛合するように径寸法が設定されている。
【００６０】
従って、一方の幅寄せガイド板４２３を左右方向に向けて移動させると、この移動は、一方のラック４２４およびピニオン４２５を介して他方のラック４２４に伝達され、他方の幅寄せガイド板４２３が反対方向に向けて同一量だけ移動することになる。
【００６１】
そして、本実施形態においては、右方幅寄せガイド４２２側のラック４２４の後方縁面に、その長手方向（左右方向）の略全長に亘って等ピッチで複数の円弧凸歯（凹凸部）４２４ｂが設けられている。この円弧凸歯４２４ｂは、図６の（ロ）に示すように、ラック４２４から突出した部分が略半円の円弧状に形成されている。この円弧凸歯４２４ｂは、ロック機構５０の所定の動作でラック４２４を動かないようにロックするためのものである。
【００６２】
一方、前記第２底板３２′には、その右側位置においてガイド長孔３２３から後方に向けて切り込まれることにより形成された装着凹部３２７（図５）が設けられている。この装着凹部３２７は、ロック機構５０を装着するためのものである。この装着凹部３２７の左右方向で互いに対向した各縁面には前後方向に延びるガイド溝３２７ａがそれぞれ設けられている。
【００６３】
また、本実施形態においては、底板３２における前記架設板３２６と対応した部分に当該架設板３２６が嵌り込む逃がし角孔３２８が穿設されているとともに、その右隣りに前記装着凹部３２７と対応した平面視で矩形状の逃がし凹部３２９が凹設されている。前記逃がし角孔３２８は、底板３２の上に第２底板３２′が積層されねじ止めその他で固定された状態で架設板３２６を嵌め込むためのものであり、前記逃がし凹部３２９は、同状態で後述するロック解除部材５２の上下動のアローワンスを確保するためのものである。逃がし凹部３２９の中央部には、後述する角柱片５２１を貫通させるための角孔３２９ａが穿設されている。
【００６４】
前記ロック機構５０は、図５および図６の（ロ）に示すように、前記装着凹部３２７に前後動可能に嵌め込まれるロック板５１と、用紙カセット３０が、図１の（ハ）に示すように、筐体１１から引き出されてテーブルＴ上に載置された状態でこのロック板５１を後方に向けて移動させるロック解除部材５２と、装着凹部３２７に嵌め込まれたロック板５１を前方へ向けて付勢するコイルスプリング５３とを備えて構成されている。前記コイルスプリング５３は、装着凹部３２７内において圧縮状態でロック板５１と装着凹部３２７の後縁部との間に介設されている。
【００６５】
前記ロック板５１は、幅寄せガイド４２が動かないようにロックするためのものであり、略正方形状に形状設定されている。かかるロック板５１の左右の縁部には、前後方向に延びる被ガイド突状５１１がそれぞれ突設されているとともに、ロック板５１の中央部には、後述する操作突起５２３を外嵌するための角孔５１２が穿設されている。さらにロック板５１の前方縁部には、前記ラック４２４の複数の円弧凸歯４２４ｂとそれぞれ対向した複数の鋸歯（ロック歯）５１３が設けられている。
【００６６】
前記一対の被ガイド突状５１１は、前記装着凹部３２７の一対のガイド溝３２７ａにそれぞれ嵌入されるように寸法設定されている。従って、ロック板５１は、各被ガイド突状５１１が対応したガイド溝３２７ａに嵌め込まれることにより、各ガイド溝３２７ａに案内されつつ装着凹部３２７内で前後方向に移動可能になる。
【００６７】
前記鋸歯５１３は、鋸の刃のように先端が先鋭に形成されている（図６の（ロ））。かかる鋸歯５１３は、前記円弧凸歯４２４ｂと同一ピッチで複数個が形成されている。従って、ロック板５１が装着凹部３２７内で前方に向けて移動すると、図６の（ロ）−「ａ」に示すように、各鋸歯５１３の先端部が円弧凸歯４２４ｂ間の谷間に嵌り込み、これによってラック４２４の移動が阻止されるようになっている。
【００６８】
前記ロック解除部材５２は、前記底板３２の逃がし凹部３２９に穿設された角孔３２９ａ（図４、図５）に貫通される角柱片５２１と、この角柱片５２１の上端部に一体に形成されたフランジ５２２と、このフランジ５２２の上面から上方に向かって突設された操作突起５２３とを備えて構成されている。前記逃がし凹部３２９の角孔３２９ａは、平面視の寸法が前記ロック板５１の角孔５１２と略同一に設定されている。
【００６９】
前記フランジ５２２は、逃がし凹部３２９の角孔３２９ａより大きく寸法設定され、これによって角柱片５２１が上から角孔３２９ａに嵌入されても下方へ抜け落ちることが防止されるようになっている。前記操作突起５２３は、図６の（ロ）に示すように、側面視で（左右方向から見て）直角三角形状に形成され、後面側に傾斜面５２３ａが形成されている。
【００７０】
そして、ロック解除部材５２が下方位置Ｓ４にレベル設定されたときには、図６の（イ）−「ａ」に示すように、操作突起５２３が角孔５１２内で自重によって最下位に位置することにより、ロック板５１がコイルスプリング５３の付勢力により前方に向けて移動し、これによって角孔５１２の後縁部が当該操作突起５２３の上縁部と当接するとともに、鋸歯５１３がラック４２４の円弧凸歯４２４ｂに噛合するようになっている。
【００７１】
これに対し、用紙カセット３０が、図１の（ハ）に示すように、筐体１１から抜き出されて所定のテーブルＴ上に載置されたりすることにより、角柱片５２１が台座Ｔ１あるいはテーブルＴから反力を受けたときには、ロック解除部材５２はコイルスプリング５３の付勢力に抗して上昇し、これによって操作突起５２３の傾斜面５２３ａがロック板５１の角孔５１２の後縁部を後方に向けて押圧し、これによるロック板５１の後退で、図６の（ロ）−「ｂ」に示すように、鋸歯５１３の円弧凸歯４２４ｂに対する噛合が解除されるようになっている。
【００７２】
図７は、本発明の作用を説明するための図６の（イ）のＡ−Ａ線断面視の説明図であり、（イ）は、ロック解除部材５２が下方位置Ｓ４にレベル設定された状態、（ロ）は、ロック解除部材５２が上方位置Ｓ５にレベル設定された状態をそれぞれ示している。なお、図７におけるＸおよびＹによる方向表示は図１の場合と同様（Ｘは左右方向（−Ｘ：左方、＋Ｘ：右方）、Ｙは前後方向（−Ｙ：前方、＋Ｙ：後方））である。
【００７３】
まず、用紙カセット３０が筐体１１に装着されたとき、および用紙カセット３０が筐体１１から引き出されてテーブルＴに載置されるまでの間については、ロック解除部材５２は、図７の（イ）に示すように、自重によって下方位置Ｓ４にレベル設定され、これによって操作突起５２３の上縁部のみがロック板５１の角孔５１２内に没入した状態になっているため、ロック板５１は、コイルスプリング５３の付勢力によって角孔５１２の後縁部が操作突起５２３の上端部に当止するまで前方に向けて移動された状態になっている。
【００７４】
そして、この状態では、ロック板５１の鋸歯５１３がラック４２４の円弧凸歯４２４ｂ噛合し、これによって右方幅寄せガイド４２２のラック４２４が左右方向（図７の紙面に直交する方向）へ移動しないようにロックされている。従って、一旦位置決めされた幅寄せガイド４２は、図２の（イ）および（ロ）に示すように、筐体１１に収納されたり半引き出し状態とされたりしている間、用紙カセット３０を筐体１１から抜き出して、図１の（ハ）に示すように、テーブルＴに載置するまでの間、および用紙カセット３０をテーブルＴから持ち上げて筐体１１に収納するまでの間、並びに用紙カセット３０を筐体１１に収納した後については幅寄せガイド４２を動かすことができない。
【００７５】
従って、一旦位置決めされた幅寄せガイド４２は、用紙カセット３０の筐体１１に対する着脱捜査時の振動や、持ち運びしているときの慣性力等によって移動することがないため、用紙カセット３０が筐体１１に収納された状態で幅寄せガイド４２の位置決め状態が狂ってしまうような不都合の発生が確実に防止される。
【００７６】
ついで、図７の（ロ）に示すように、筐体１１から引き出された用紙カセット３０が所定のテーブルＴ上に載置されると、ロック解除部材５２の角柱片５２１がテーブルＴから相対的に押圧されるため、これによるコイルスプリング５３の付勢力に抗したロック解除部材５２の上昇によって操作突起５２３の傾斜面５２３ａがロック板５１における角孔５１２の後縁部を後方に向かって押圧し、これによるロック板５１の後退によって鋸歯５１３の円弧凸歯４２４ｂに対する噛合が解消される。この噛合状態の解消によって幅寄せガイド４２を移動させることが可能になる。
【００７７】
従って、用紙カセット３０に貯留されている用紙束Ｐ１のサイズを変更するべく、幅寄せガイド４２を移動させる必要があるときは、用紙カセット３０を筐体１１から引き出して所定のテーブルＴ上に載置すればよい。こうすることによって、従来のように操作レバーを操作するような面倒な作業を行うことなく、幅寄せガイド４２を容易に移動させることができるため、用紙サイズ変更の場合の作業性を向上させることができる。
【００７８】
以上詳述したように、本発明に係るプリンタ１０は、貯留している用紙束Ｐ１から画像形成用として筐体１１内に向けて用紙Ｐを給紙し得るように構成された、筐体１１に対して挿脱可能に装着される用紙カセット３０を備えたものであり、用紙カセット３０は、用紙Ｐのサイズに応じて移動させることにより用紙束Ｐ１の縁部に当止して当該用紙束Ｐ１を位置決めする位置決め部材４０と、この位置決め部材４０に対し位置決め状態のロックおよびロック解除を行うロック機構５０が設けられ、ロック機構５０は、用紙カセット３０が筐体１１から引き出され所定のテーブルＴ上に載置された状態でロックが解除される一方、テーブルＴから持ち上げられた状態でロックが行われるように構成されている。
【００７９】
かかる構成によれば、予め用紙サイズに応じて位置設定されロック機構５０により移動しないようにロックされた位置決め部材４０に沿わせて用紙束Ｐ１を装填することにより当該用紙束Ｐ１を用紙カセット３０に貯留した状態にすることができる。
【００８０】
そして、異なる用紙サイズの用紙束Ｐ１を用紙カセット３０に装填するに際しては、当該用紙カセット３０を筐体１１から引き出し、所定のテーブルＴの上に載置することにより、ロック機構５０によるロックが解除されるため、この状態で位置決め部材４０を移動して新たな用紙サイズに対応させることができる。新たな用紙サイズの用紙束Ｐ１が貯留可能になった用紙カセット３０は、筐体１１に装着されて使用に供される。
【００８１】
因みに、本発明においては、用紙カセット３０が筐体１１に装着された状態も当該用紙カセット３０がテーブルＴから持ち上げられた状態の範疇に入るため、特に筐体１１内にテーブルＴに代わるものが存在しない限り、位置決め部材４０は、ロック機構５０により位置決め状態がロックされたままとなる。
【００８２】
このようにロック機構５０を、筐体１１から引き出され用紙カセット３０を所定のテーブルＴ上に載置した状態で位置決め部材４０のロックが解除されるように構成する一方、テーブルＴから持ち上げられた状態でロックが行われるように構成することで、オペレータは、従来のようにロックを解除させるための操作レバーの操作と位置決め部材４０を移動させる操作とを同時に行う必要がなくなり、筐体１１から引き出された用紙カセット３０を所定のテーブルＴ上に載置するだけで位置決め部材４０を移動させることが可能になるため、用紙のサイズに応じた位置決め部材４０の位置変更作業が極めて容易に行われ、当該作業の作業性を大幅に向上させることができる。
【００８３】
また、位置決め部材４０の構成要素であるラック４２４は、移動方向に向けて所定ピッチで並設された複数の凹凸を有する円弧凸歯４２４ｂを備え、ロック機構５０は、円弧凸歯４２４ｂの凹凸に噛み合うことによって位置決め部材４０の移動をロックする鋸歯５１３を備えたロック板５１と、用紙カセット３０がテーブルＴに載置された状態でテーブルＴから受ける押圧力によりロック板５１を鋸歯５１３が円弧凸歯４２４ｂから離間する方向に向けて移動させる操作突起５２３とを有しているため、用紙カセット３０が筐体１１内に装着された状態では、ロック板５１の鋸歯５１３が位置決め部材４０に設けられた円弧凸歯４２４ｂの凹凸に噛合し、これによって位置決め部材４０はその移動がロックされた状態になっている。
【００８４】
そして、位置決め部材４０を移動させるに際しては、用紙カセット３０を筐体１１から引き出して所定のテーブルＴ上に載置すればよい。こうすることによって操作突起５２３がテーブルＴから押圧力を受け、これによるロック板５１の動作によって当該ロック板５１に設けられた鋸歯５１３が位置決め部材４０の円弧凸歯４２４ｂの凹凸に対する噛合から外れるため、位置決め部材４０は移動可能になる。
【００８５】
このようにロック機構５０を、位置決め部材４０に設けた移動方向に向け所定ピッチの複数の凹凸を有する円弧凸歯４２４ｂと、円弧凸歯４２４ｂの凹凸に噛み合うことによって位置決め部材４０の移動をロックする鋸歯５１３を備えたロック板５１と、用紙カセット３０がテーブルＴに載置された状態でテーブルＴから受ける押圧力によりロック板５１を鋸歯５１３が円弧凸歯４２４ｂから離間する方向に向けて移動させる操作突起５２３とを備えて構成することにより、ロック機構５０の構造を簡単なものとした上で、用紙カセット３０を所定のテーブルＴ上に載置したときのみ位置決め部材４０を移動可能にすることができ、かかるロック機構５０を備えた用紙カセット３０の装置コストの高騰を抑えることができる。
【００８６】
また、操作突起５２３には、ロック板５１との当接位置に傾斜面５２３ａを設け、この傾斜面５２３ａは、操作突起５２３が上方に向けて押圧されることによりロック板５１を誘導して当該ロック板５１がロックを解除するように傾斜設定されているため、用紙カセット３０が所定のテーブルＴ上に載置されてロック解除部材５２が上方に向けて相対的に押圧されることにより、傾斜面５２３ａがロック板５１を誘導し、これによるロック板５１のロック解除の方向へ向けた移動によって位置決め部材４０のロック状態を解除することができる。
【００８７】
そして、本実施形態においては、ロック機構５０を備えた位置決め部材４０として互いに連動して両サイドから用紙束Ｐ１を挟持するように形成された用紙幅方向一対の幅寄せガイド４２を採用しているため、後端位置決めガイド４１より操作が困難な幅寄せガイド４２の操作性を向上させた上で、これら一対の幅寄せガイド４２によって用紙カセット３０に貯留される用紙束Ｐ１を対象として用紙幅方向の整合を行うことができる。
【００８８】
本発明は上記の実施形態に限定されるものではなく、以下の内容をも包含するものである。
【００８９】
（１）上記の実施形態においては、本発明に係る画像形成装置としてプリンタ１０を例に挙げて説明したが、本発明は、画像形成装置がプリンタ１０であることに限定されるものではなく、複写機であってもよいし、ファクシミリ装置であってもよい。
【００９０】
（２）上記の実施形態においては、ロック機構５０が幅寄せガイド４２を対象として設けられているが、本発明は、ロック機構５０が幅寄せガイド４２のみを対象として設けられることに限定されるものではなく、これに加えて後端位置決めガイド４１を対象として設けてもよい。また、幅寄せガイド４２を対象としてロック機構５０を設けずに後端位置決めガイド４１のみを対象としてロック機構５０を設けてもよい。
【００９１】
（３）上記の実施形態においては、用紙カセット３０は、筐体１１に対し１段のみで装着されているが、本発明は、用紙カセット３０の１段のみが筐体１１に装着されることに限定されるものではなく、複数段の用紙カセット３０を装着し得るように筐体１１を構成してもよい。
【００９２】
（４）上記の実施形態においては、右方幅寄せガイド４２２のラック４２４にロック用として円弧状の円弧凸歯４２４ｂが設けられているが、本発明は、ロック用の歯が円弧凸歯４２４ｂであることに限定されるものではなく、通常のギヤ歯であってもよいし、先端が先鋭に尖った鋸歯であってもよい。
【００９３】
（５）上記の実施形態においては、位置決め部材４０の構成要素として一対の幅寄せガイド４２が採用されているが、本発明は、幅寄せガイド４２が一対であることに限定されるものではなく、例えば用紙束Ｐ１を幅方向の片側に寄せて位置決めするような構造の用紙カセットの場合には、１つの幅寄せガイドだけで済ませることができる。
【００９４】
（６）上記の実施形態においては、ロック解除部材５２の操作突起５２３に傾斜面５２３ａを設けているが、こうする代わりにロック板５１の角孔５１２の縁部に傾斜面を設けてもよいし、双方に傾斜面を設けてもよい。
【図面の簡単な説明】
【００９５】
【図１】本発明に係るプリンタの一実施形態を示す斜視図であり、（イ）は、用紙カセットがプリンタ本体に収納された収納状態、（ロ）は、用紙カセットがその後端部をプリンタ本体内に残して略半分引き出された半引き出し状態、（ハ）は、用紙カセットがプリンタ本体から完全に引き出されてテーブル上に置かれた状態をそれぞれ示している。
【図２】プリンタの内部構造の概要を説明するための側面断面視の説明図であり、（イ）は、用紙カセットが筐体１１に収納された収納状態）、（ロ）は、用紙カセットが筐体から略半分引き出された半引き出し状態をそれぞれ示している。
【図３】用紙カセットの一実施形態を示す斜め上面から見た斜視図であり、（イ）は、リフト板が取り付けられた状態、（ロ）は、リフト板が取り外された状態をそれぞれ示している。
【図４】用紙カセットを裏面側から見た斜視図である。
【図５】幅寄せガイドとロック機構との相対的な位置関係を説明するための分解斜視図である。
【図６】図５に示す用紙カセットが組み立てられた状態を示す斜視図であり、（イ）は、組み立て斜視図、（ロ）−「ａ」は、幅寄せガイドのラックがロック機構によってロックされた状態、（ロ）−「ｂ」は、幅寄せガイドのラックのロック機構によるロックが解除された状態をそれぞれ示している。
【図７】本発明の作用を説明するための図６の（イ）のＡ−Ａ線断面視の説明図であり、（イ）は、ロック解除部材が下方位置にレベル設定された状態、（ロ）は、ロック解除部材が上方位置にレベル設定された状態をそれぞれ示している。
【符号の説明】
【００９６】
１０  プリンタ（画像形成装置）
１１  筐体（装置本体）      １１１  側板
１１２  天板                １１３  前面板
１１４  後面板              １１５  仕切板
１１６  給紙口              １１７  排紙トレイ
１１７ａ  排紙口            １１８  ルーバー
１１９  給紙ローラ          １１９ａ  搬送コロ
１１９ｂ  給紙搬送路        １１９ｃ  レジストローラ対
２０  画像形成部            ２１  感光体ドラム
２２  帯電器                ２３  露光装置
２４  現像装置              ２４１  トナーカートリッジ
２５  転写ローラ            ２６  クリーニング装置
２７  定着部                ２７１  ヒートローラ
２７２  加圧ローラ          ２７３  排紙搬送路
３０  用紙カセット（給紙装置）
３０１  給紙コロ            ３１  カセット本体
３２  底板                  ３２１  コイルスプリング
３２２  ガイドレール        ３２３  ガイド長孔
３２４  前方ガイド長孔      ３２５  後方ガイド長孔
３２６  架設板              ３２６ａ  螺子孔
３２７  装着凹部            ３２７ａ  ガイド溝
３２８  逃がし角孔          ３２９  凹部
３２９ａ  角孔              ３３  側板
３３１  案内レール          ３４  化粧板
３５  手差しトレイ          ３６  リフト板
３６１  支点軸              ３６２  切り込み凹部
４０  位置決め部材          ４１  後端位置決めガイド
４２  幅寄せガイド          ４２１  左方幅寄せガイド
４２２  右方幅寄せガイド    ４２３  幅寄せガイド板
４２４  ラック              ４２４ａ  ラック歯
４２４ｂ  円弧凸歯（凹凸部）
４２５  ピニオン            ４２５ａ  中心孔
４２６  中心軸              ５０  ロック機構
５１  ロック板              ５１１  被ガイド突状
５１２  角孔                ５１３  鋸歯（ロック歯）
５２  ロック解除部材        ５２１  角柱片
５２２  フランジ            ５２３  操作突起
５２３ａ  傾斜面            ５３  コイルスプリング
Ｐ  用紙                    Ｐ１  用紙束
Ｓ１  収納状態              Ｓ２  半引き出し状態
Ｓ３  完全引き出し状態      Ｓ４  下方位置
Ｓ５  上方位置              Ｔ  テーブル（平坦面）
Ｔ１  台座                  Ｖ  貯留空間
【図１】
2007191269.tif 000003
【図２】
2007191269.tif 000004
【図３】
2007191269.tif 000005
【図４】
2007191269.tif 000006
【図５】
2007191269.tif 000007
【図６】
2007191269.tif 000008
【図７】
2007191269.tif 000009